(57)【要約】【課題】余剰接着剤による吐出特性のばらつきを低減することができるインクジェットヘッドを提供する。【解決手段】インクジェットヘッドは、圧電材料からなる主表面にインクチャンネルを構成するための複数の平行なチャンネル溝が形成されることによって残った部分であるチャンネル壁１２が前後方向に延在するベース基板としての圧電基板１と、チャンネル溝を覆ってインク室４を構成するように圧電基板１の主表面と貼り合わせられたカバー部材２とを備え、前記インクチャンネルは、前方の一部においてチャンネル壁１２の上面がカバー部材２に当接していることによってチャンネル壁１２の変形がインク吐出に寄与し得るアクティブ領域を有し、圧電基板１とカバー部材２とを接着した際に両者の接着に直接寄与せずに余った接着剤を保持するための余剰接着剤保持領域７が前記アクティブ領域内に設けられている。【選択図】図２
2007230045.tif 000002
【特許請求の範囲】
【請求項１】
圧電材料からなる主表面にインクチャンネルを構成するための複数の平行なチャンネル溝が形成されることによって残った部分であるチャンネル壁が前後方向に延在するベース基板と、
前記チャンネル溝を覆ってインク室を構成するように前記ベース基板の主表面と貼り合わせられたカバー部材とを備え、
前記インクチャンネルは、前方の一部において前記チャンネル壁の上面が前記カバー部材に当接していることによって前記チャンネル壁の変形がインク吐出に寄与し得るアクティブ領域を有し、
前記ベース基板と前記カバー部材とを接着した際に両者の接着に直接寄与せずに余った接着剤を保持するための余剰接着剤保持領域が前記アクティブ領域内に設けられている、インクジェットヘッド。
【請求項２】
前記チャンネル壁の上端と前記カバー部材との間に間隙を設けた区間である狭隙部が、前記アクティブ領域に隣接して設けられている、請求項１に記載のインクジェットヘッド。
【請求項３】
前記狭隙部としての凹部が前記ベース基板側に設けられている、請求項２に記載のインクジェットヘッド。
【請求項４】
前記狭隙部としての凹部が前記カバー部材側に設けられている、請求項２に記載のインクジェットヘッド。
【請求項５】
前記余剰接着剤保持領域としての凹部が前記ベース基板側に設けられている、請求項１から４のいずれかに記載のインクジェットヘッド。
【請求項６】
前記余剰接着剤保持領域は、前記チャンネル壁に設けられた切欠きによって構成され、前記インク室の内部に露出するように設けられている、請求項５に記載のインクジェットヘッド。
【請求項７】
前記余剰接着剤保持領域は、前記チャンネル壁に設けられた保持領域溝によって構成され、前記保持領域溝は、前記チャンネル溝に交差して連通するように設けられている、請求項５に記載のインクジェットヘッド。
【請求項８】
前記余剰接着剤保持領域は、前記チャンネル壁に設けられた保持領域溝によって構成され、前記保持領域溝は、前記インク室とは連通せず別個に設けられている、請求項５に記載のインクジェットヘッド。
【請求項９】
前記余剰接着剤保持領域としての凹部が前記カバー部材側に設けられている、請求項１から４のいずれかに記載のインクジェットヘッド。
【請求項１０】
前記余剰接着剤保持領域は、前記チャンネル溝と対応するように前記カバー部材側に設けられた切欠きによって構成され、前記インク室の内部に露出するように設けられている、請求項９に記載のインクジェットヘッド。
【請求項１１】
前記余剰接着剤保持領域は、前記カバー部材側に設けられた保持領域溝によって構成され、前記保持領域溝は、前記チャンネル溝に交差して連通するように設けられている、請求項９に記載のインクジェットヘッド。
【請求項１２】
前記余剰接着剤保持領域は、前記チャンネル壁と対応するように前記カバー部材側に設けられた保持領域溝によって構成され、前記保持領域溝は、前記インク室とは連通せず別個に設けられている、請求項９に記載のインクジェットヘッド。
【請求項１３】
前記チャンネル壁の上面と前記カバー部材との間に間隙を設けた区間である狭隙部が、前記アクティブ領域に隣接して設けられており、
前記余剰接着剤保持領域は、前記チャンネル壁と対応するように前記カバー部材側に設けられた保持領域溝によって構成され、
前記保持領域溝は、前記狭隙部の内部にまで連続的に設けられている、請求項１に記載のインクジェットヘッド。
【請求項１４】
前記アクティブ領域の長さをＡ、前記チャンネル壁の幅をＷ、前記インクチャンネルの数をｎ、前記ベース基板と前記カバー部材との間の接着のために塗布される接着剤の厚みをｔとしたときに、前記余剰接着剤保持領域の容積は、Ａ×Ｗ×ｎ×ｔ以上である、請求項１から１３のいずれかに記載のインクジェットヘッド。
【請求項１５】
前記保持領域溝はダイシングマシンを用いたチョッパ加工によって形成されている、請求項７、８、１１、１２、１３に記載のインクジェットヘッド。
【発明の詳細な説明】
【技術分野】
【０００１】
本発明は、インクジェットヘッドに関するものである。
【背景技術】
【０００２】
インクジェットヘッドの構造の一例として、前後方向に延びるようにチャンネル溝としての凹部を形成した圧電基板と、共通インク室としての凹部を形成したカバー部材とを互いに貼り合わせたものが一般に知られている。圧電基板とカバー部材とを貼り合わせることによってチャンネル溝の上方は塞がれ、インク室となる。共通インク室はインク室にインクを供給するためにインクを事前に一時的に保持する空間となる。
【０００３】
チャンネル溝同士を仕切るように立つ壁状の部分は「チャンネル壁」と呼ばれる。このチャンネル壁には圧電材料が含まれており、チャンネル壁の両面に張られた電極に電圧を印加することによってチャンネル壁の圧電材料からなる部分は剪断変形を起こし、チャンネル壁は変形する。この結果、インク室の容積は急激に増減し、前方の吐出孔からインクが吐出される。
【０００４】
本発明に関して、「インクチャンネル」とは、インクを吐出するための機構の１単位を意味し、「インク室」とは、インクチャンネルを構成する要素のひとつであり、左右上下を密閉された空間をいうものとする。「チャンネル溝」とは、基板に掘られた溝として捉えたときの溝の呼称である。基板に形成されたチャンネル溝の全長のうち上の開口を塞いだ区間によってインク室が構成され、インク室に両側のチャンネル壁、電極などを含めたインク吐出のための機構の１単位がインクチャンネルである。
【０００５】
インクを吐出させたとき、インク室内には残留振動としての圧力波が生じ、その一部は共通インク室に向かって進行する。残留振動がそのまま残存して進行を続けることは後続のインク吐出動作に悪影響を及ぼす。この問題を解消するために特開２００４−１３６６３４号公報（特許文献１）に提案されている技術がある。これは、インク吐出に直接寄与するインク室と共通インク室との間の区間において、チャンネル壁の上端とカバー部材との間に間隙部を設けるものであり、この間隙部を通じて隣接するインクチャンネル同士でインクの過不足分のやりとりを自由に行なわせることによって、速やかに残留振動を減衰させるというものである。このように設けられる間隙部を以下「狭隙部」という。その一例を図１７に示す。図１７に示すインクジェットヘッド１００においては、圧電基板１とカバー部材２とを貼り合わせることによって、複数のインク室４が設けられている。圧電基板１は厚基板１ａと薄基板１ｂとの積層構造となっている。前側のインク室４と後ろ側の共通インク室３との間に狭隙部８が設けられている。
【０００６】
圧電基板１とカバー部材２との貼合せは接着剤によって行なわれる。図１８にインクジェットヘッド１００の断面図を示す。圧電基板１とカバー部材２とを接着する際に、圧電基板１とカバー部材２とのいずれに接着剤を塗布するかについては、電極引出し部６となる浅溝部への接着剤の流れ込みを防止するため、カバー部材２側に接着剤を塗布することが好ましい。
【特許文献１】特開２００４−１３６６３４号公報
【発明の開示】
【発明が解決しようとする課題】
【０００７】
接着剤はカバー部材２の下面の全体に塗布されるので、カバー部材２にチャンネル壁１２の上面が当接する領域では接着剤は接着の役割を果たすが、チャンネル溝に相当する部分ではカバー部材２はインク室４の天井の役割を果たすに過ぎないので、この天井となる領域においてカバー部材２に塗布された接着剤は接着に寄与せず余ってしまう。このような領域において余った接着剤を以下「余剰接着剤」という。
【０００８】
圧電基板１とカバー部材２とを貼り合わせることによって余剰接着剤は狭隙部８に流入する。ある程度以上の量の余剰接着剤が狭隙部８に流入した場合、接着剤の表面張力によって狭隙部８の上下面の間を接着剤がつないだ形になる。すなわち、図１８に示す余剰接着剤１１のようになる。狭隙部８に流入した余剰接着剤１１は毛細管現象によって周囲の余剰接着剤を狭隙部８に吸い寄せる。このような現象によって狭隙部８に吸い寄せられる余剰接着剤の量は、インクチャンネル毎に一定ではなく、ばらつく。
【０００９】
インクチャンネルにおいて、インク吐出に直接寄与する区間（「アクティブ領域」ともいう。）は本来、左右のチャンネル壁１２の上端がカバー部材２に接続された区間１３である。しかし、狭隙部８に余剰接着剤１１が入り込んでしまうと、余剰接着剤１１は狭隙部８を一部塞いだ形となるので、その分の長さだけアクティブ領域は長くなり、見かけ上は区間１４がアクティブ領域として作用することとなってしまう。狭隙部８内に生じる余剰接着剤１１の長さは前述したようにインクチャンネル毎にばらつくので、アクティブ領域の長さ（区間１４の長さ）もインクチャンネル毎にばらつくということになる。したがって、アクティブ領域の長さはインク吐出特性に影響を与えるので、インクチャンネルごとにインク吐出特性がばらつくことになってしまう。
【００１０】
狭隙部８への余剰接着剤１１の入り込み長さのばらつきは、最大０．４ｍｍ程度である。すなわち、アクティブ領域のばらつきは最大０．４ｍｍとなる。インクジェットヘッド１００を電圧一定駆動で吐出速度を仮に８ｍ／秒に設定した場合、アクティブ領域の０．４ｍｍのばらつきは、吐出速度としては±１ｍ／秒のばらつきを引き起こす。
【００１１】
そこで、本発明は、余剰接着剤による吐出特性のばらつきを低減することができるインクジェットヘッドを提供することを目的とする。
【課題を解決するための手段】
【００１２】
上記目的を達成するため、本発明に基づくインクジェットヘッドは、圧電材料からなる主表面にインクチャンネルを構成するための複数の平行なチャンネル溝が形成されることによって残った部分であるチャンネル壁が前後方向に延在するベース基板と、前記チャンネル溝を覆ってインク室を構成するように前記ベース基板の主表面と貼り合わせられたカバー部材とを備え、前記インクチャンネルは、前方の一部において前記チャンネル壁の上面が前記カバー部材に当接していることによって前記チャンネル壁の変形がインク吐出に寄与し得るアクティブ領域を有し、前記ベース基板と前記カバー部材とを接着した際に両者の接着に直接寄与せずに余った接着剤を保持するための余剰接着剤保持領域が前記アクティブ領域内に設けられている。
【発明の効果】
【００１３】
本発明によれば、アクティブ領域内に余剰接着剤保持領域が設けられているので、圧電基板とカバー部材とを貼り合わせる際に生じる余剰接着剤は余剰接着剤保持領域に収容される。その結果、アクティブ領域長さはほぼ一定に保たれ、吐出特性のばらつきを低減することができる。
【発明を実施するための最良の形態】
【００１４】
（実施の形態１）
（構成）
図１、図２を参照して、本発明に基づく実施の形態１におけるインクジェットヘッド
について説明する。図１は、このインクジェットヘッド１０１を、内部構造がわかりやすいように、前面のノズル板（図示せず）を外してさらに左右方向に延びる構造のうち途中で切断して右側部分を取り除いた状態の斜視図である。
【００１５】
インクジェットヘッド１０１は、圧電材料からなる主表面にインクチャンネルを構成するための複数の平行なチャンネル溝が形成されることによって残った部分であるチャンネル壁１２が前後方向に延在するベース基板としての圧電基板１と、前記チャンネル溝を覆ってインク室４を構成するように前記ベース基板の主表面と貼り合わせられたカバー部材２とを備え、前記インクチャンネルは、前方の一部において前記チャンネル壁１２の上面が前記カバー部材２に当接していることによって前記チャンネル壁１２の変形がインク吐出に寄与し得るアクティブ領域を有し、前記ベース基板としての圧電基板１と前記カバー部材２とを接着した際に両者の接着に直接寄与せずに余った接着剤を保持するための余剰接着剤保持領域７が前記アクティブ領域内に設けられている。
【００１６】
圧電基板１は厚基板１ａと薄基板１ｂとの積層構造となっている。後ろ側にはカバー部材２の凹部として共通インク室３が設けられている。前側のインク室４と後ろ側の共通インク室３との間にはカバー部材２側に凹部が設けられることによって狭隙部８が設けられている。本実施の形態では、図１に示すように、チャンネル壁１２の上端とカバー部材２との間に間隙を設けた区間である狭隙部８が、アクティブ領域に隣接して設けられている。また、本実施の形態では、狭隙部８としての凹部はカバー部材２側に設けられている。
【００１７】
インクジェットヘッド１０１の後端には電極引出し部６が設けられている。電極引出し部６は前方のインク室４から後ろにいくにつれてチャンネル溝の深さが徐々に浅くなって、深さ１０μｍ程度の浅溝となった部分である。チャンネル壁１２の側面に形成されていた電極は電極引出し部６にまで連続しているので、電極引出し部６において電極に印加する電圧の大小や有無を制御することによってインクチャンネルの制御を行なうことができる。
【００１８】
区間１３は圧電基板１とカバー部材２とが当接している区間を意味し、余剰接着剤が全くない理想的な状態においては、この区間がそのままアクティブ領域に該当する。余剰接着剤保持領域７は、アクティブ領域内においてインク室４内に露出するように形成されている。本実施の形態では、余剰接着剤保持領域７としての凹部はベース基板側すなわち圧電基板１側に設けられている。アクティブ領域における１つのインクチャンネルの近傍の拡大横断面図を図２に示す。図２に示すように、インク室４の左右両側のチャンネル壁１２の上端に余剰接着剤保持領域７がインク室４に連通するように設けられている。余剰接着剤保持領域７としての凹部は「切欠き」とも呼べるので、言い方を換えれば、余剰接着剤保持領域７は、チャンネル壁１２に設けられた切欠きによって構成され、インク室４の内部に露出するように設けられているともいえる。
【００１９】
（作用・効果）
本実施の形態におけるインクジェットヘッド１０１においては、アクティブ領域内に余剰接着剤保持領域７が設けられているので、圧電基板１とカバー部材２とを貼り合わせる際に生じる余剰接着剤は余剰接着剤保持領域７に収容され、その結果、余剰接着剤が狭隙部８にまで流入する度合いが低減される。余剰接着剤が狭隙部８に入り込むことによってアクティブ領域長さが延長されることは防止ないしは低減されるので、アクティブ領域長さはほぼ一定に保たれ、ばらつきを低減することができる。よって、電圧一定駆動時の吐出速度ばらつきや吐出速度一定駆動時の吐出電圧ばらつきを抑えることができる。
【００２０】
さらに本実施の形態では、アクティブ領域に隣接して、狭隙部８を有しているため、インク吐出による残留振動を抑制することができ、高周波での安定した吐出が可能となる。本実施の形態では、狭隙部８としての凹部はカバー部材２側に設けられているので、インク吐出に直接寄与するアクティブ領域長さは、カバー部材２側に設けた狭隙部８位置により決定することが可能となる。狭隙部８はダイシングマシンなどの機械加工により精度良く形成することができるので、アクティブ領域長さのばらつきは５μｍ以下に抑えることが可能となる。こうして、インクジェットヘッド個体間、ウェハー個体間のアクティブ領域長さのばらつきを小さくすることができ、安定したインクジェットヘッド特性を得ることが可能である。
【００２１】
インク室４に露出するように形成される余剰接着剤保持領域７の深さを、電極引出し部６の溝深さと同じく１０μｍとすれば、ある１つのインク室４を挟むように位置するチャンネル壁１２上端の余剰接着剤保持領域７としての凹部と電極引出し部６の浅溝とを、図３に示すように圧電基板１に対して一括して連続したストレート溝加工によって形成することが可能となる。図３のように浅溝を形成してから、図４に示すように、チャンネル溝となる深く幅が狭い溝の加工を行なえばよい。チャンネル溝４ａの深い部分の後端において底面が円弧状となる部分はダイシングブレード９の外周形状を転写するようにチョッパ加工を行なうことによって加工可能である。
【００２２】
逆に圧電基板１の主表面に深い溝の加工を先に行なってから、幅の広いダイシングブレードに切替えて浅い溝を加工するような動作を行なうことによって左右のチャンネル壁１２上端の余剰接着剤保持領域７としての凹部を形成してもよい。１つのチャンネル溝の両脇の余剰接着剤保持領域７としての凹部を幅の広い１枚のダイシングブレードで同時に加工する代わりに幅の狭いダイシングブレードで余剰接着剤保持領域７としての凹部を片側ずつ加工してもよい。
【００２３】
余剰接着剤保持領域７としての凹部を形成するための浅く幅の広い溝の加工は後端の電極引出し部６まで延長せず、チャンネル壁１２の前端から始まってアクティブ領域のみをカバーする程度の長さで止めておいてもよい。
【００２４】
ここでは狭隙部８としての凹部はカバー部材２側に設けられている例を示したが、好ましい形態はこれに限らず、狭隙部８としての凹部は圧電基板１側に設けられていてもよい。狭隙部８は吐出による残留振動を抑制するものであり、狭隙部８の深さの最適値は、インクの粘度、インク室形状、アクティブ領域長さ、吐出周波数などにより決定付けられるが、狭隙部８をカバー部材２側に設けることとすれば、狭隙部８の深さを高精度に制御するのが容易となる。
【００２５】
（実施の形態２）
実施の形態１においては余剰接着剤保持領域としての切欠きはチャンネル壁１２の角に沿ってインクチャンネルの前後方向に延びるものであったが、余剰接着剤保持領域としての切欠きはこれ以外の方向に延びる溝状の切欠きであってもよい。余剰接着剤保持領域としての溝状の切欠きを「保持領域溝」と呼ぶものとする。
【００２６】
（構成）
図５、図６を参照して、本発明に基づく実施の形態２におけるインクジェットヘッドについて説明する。図５に示すようにこのインクジェットヘッド１０２はアクティブ領域となる区間１３と狭隙部８との境界部に余剰接着剤保持領域７ｈを有する。他の部分の構成は実施の形態１で説明したものと同じである。インクジェットヘッド１０２に用いられる圧電基板１のみを取り出した状態を図６に示す。
【００２７】
インクジェットヘッド１０２（図５参照）における余剰接着剤保持領域７ｈは、図６に示すように、チャンネル壁１２に設けられた横溝すなわち保持領域溝１５によって構成され、保持領域溝１５は、インク室４となるべきチャンネル溝４ａに交差して連通するように設けられている。保持領域溝１５としての横溝は、インクジェットヘッドの左右端では、インクジェットヘッド外部に開口しないような形状に加工されている。保持領域溝１５は狭隙部８の深さより深く加工することが好ましい。
【００２８】
（作用・効果）
本実施の形態では、余剰接着剤が狭隙部８に流入する前に、余剰接着剤保持領域７ｈとに収容し、狭隙部８への流入を防止することができる。
【００２９】
保持領域溝１５の幅はチャンネル溝４ａの幅と同じであってもよい。たとえば保持領域溝１５の幅がチャンネル溝４ａの幅と同じく約８０μｍであればよい。このようになっていればチャンネル溝４ａを加工するダイシングブレードをそのまま転用して保持領域溝１５の加工も行なうことができる。横溝である保持領域溝１５はダイシング加工時にチョッパ加工で形成してもよい。
【００３０】
本実施の形態では、１つのインクジェットヘッドに対して１本から数本の保持領域溝１５を加工するだけで済む。したがって、インクチャンネルごとに保持領域溝を加工する場合に比べて加工時間の短縮が可能となる。また、特殊な加工装置は必要なく現有設備で対応することができる。さらには、余剰接着剤保持領域の加工が機械加工で行なわれるため、余剰接着剤保持領域は、インク室に対して高精度に位置決め可能となり、加工幅、加工深さについても高精度にコントロールすることが可能である。
【００３１】
なお、ここでは圧電基板１側に保持領域溝１５を設けることによって圧電基板１側に余剰接着剤保持領域７ｈを形成する例を説明したが、本発明はこれに限らない。余剰接着剤保持領域は、カバー部材２側に設けられた保持領域溝によって構成され、保持領域溝は、チャンネル溝４ａに交差して連通するように設けられていてもよい。この場合のインクジェットヘッドは、図７に示すように、カバー部材２側に余剰接着剤保持領域７ｉを形成した構造のインクジェットヘッド１０３となる。これは、図８に示すようにカバー部材２に横溝である保持領域溝１６を設けておくことによって可能である。
【００３２】
（実施の形態３）
（構成）
図９、図１０を参照して、本発明に基づく実施の形態３におけるインクジェットヘッドについて説明する。図９、図１０に示すように、このインクジェットヘッド１０４は余剰接着剤保持領域７ｊを有する。インクジェットヘッド１０４における余剰接着剤保持領域７ｊは、チャンネル壁１２に設けられた保持領域溝によって構成され、この保持領域溝は、インク室４とは連通せず別個に設けられている。この保持領域溝は、図９に示すように、インクジェットヘッド１０４の前端まで到達せず、途中で終わっている。
【００３３】
（作用・効果）
本実施の形態では、余剰接着剤保持領域７ｊを構成する保持領域溝はインク室４に連通しない構造であるので、保持領域溝の加工がより行ないやすくなる。すなわち、図１１に示すように圧電基板１にインク室４形成のためのチャンネル溝４ａの加工をダイシングマシンなどで行なう際に、チャンネル溝４ａよりも細い幅のブレードで、チャンネル溝４ａ加工の前または後に、保持領域溝の加工を行なうことができる。この加工には特殊な加工装置は必要なく現有設備で対応することができる。また、保持領域溝の加工は機械加工で行なわれるので、余剰接着剤保持領域７ｊの形成される位置は、インク室４に対して高精度に位置決め可能であり、加工幅、加工深さについても高精度にコントロールすることが可能である。また、保持領域溝はインク室４内に露出しないため、インク室４形状は何ら変わることがない。したがって、インク室４の形状によりインク流路内に気泡が残留してこの気泡がインク室内の圧力変化を吸収して吐出特性に影響を及ぼすといったような問題を引き起こすことを避けることができる。
【００３４】
（実施の形態４）
（構成）
実施の形態３では、余剰接着剤保持領域７ｊが圧電基板１側に形成されている例を示したが、余剰接着剤保持領域はカバー部材２側に形成されていてもよい。本発明に基づく実施の形態４におけるインクジェットヘッドでは、図１２に示すように、余剰接着剤保持領域７ｋとしての凹部がカバー部材２側に設けられている。このインクジェットヘッドにおいては、余剰接着剤保持領域７ｋは、圧電基板１におけるチャンネル溝４ａと対応するようにカバー部材２側に設けられた切欠きによって構成され、インク室４の内部に露出するように設けられている。
【００３５】
（作用・効果）
本実施の形態におけるインクジェットヘッドを作成するには、図１３に示すように、カバー部材２に共通インク室３および狭隙部８となる凹部を形成したものを用意し、これに余剰接着剤保持領域７ｋを構成する保持領域溝の加工を行なう。すなわち、図１４に示すように、インク室４よりも幅広のダイシングブレード９で、カバー部材２の表面のうち圧電基板１におけるチャンネル溝４ａに対応する領域に余剰接着剤保持領域７ｋとなる保持領域溝を加工する。
【００３６】
この加工にも特殊な加工装置は必要なく現有設備で対応することができる。また、保持領域溝の加工は機械加工で行なわれるので、余剰接着剤保持領域７ｋ（図１２参照）の形成される位置は、インク室に対して高精度に位置決め可能であり、加工幅、加工深さについても高精度にコントロールすることが可能である。さらに、圧電基板１側に余剰接着剤保持領域を形成する場合と比較して、吐出に寄与するアクティブ領域のチャンネル壁１２に加工を施さずに済むため、吐出特性ばらつきは圧電基板１側に余剰接着剤保持領域を形成する場合よりも小さくすることができる。
【００３７】
本実施の形態では、図１２に示すように、余剰接着剤保持領域７ｋがインク室４内に露出しており、この余剰接着剤保持領域７ｋに余剰接着剤が流れ込むこととなる。これにより、圧電基板１とカバー部材２との間の接着強度が増し、接着強度ばらつきによる吐出特性ばらつきを排除することが可能となる。
【００３８】
また、圧電基板１の方は、溝加工をしたとするとその後に電極形成、上部電極研削加工などの加工プロセスが必要となる。圧電基板１とカバー部材２とにそれぞれ施すべき加工プロセスをできるだけ均等に配分することを考えた場合、余剰接着剤保持領域をカバー部材２側に設けた方がプロセス時間のバランスが取れて好ましい。
【００３９】
図１５に示すように、余剰接着剤保持領域７ｋとなる保持領域溝をそのまま狭隙部にまで延長して加工することとすれば、余剰接着剤をアクティブ領域内の余剰接着剤保持領域で収容しきれなかった場合にも保持領域溝の続きで収容することができるので、好ましい。
【００４０】
（実施の形態５）
（構成）
実施の形態４では、カバー部材２の表面のうちチャンネル溝４ａに対応する領域に保持領域溝を設ける例を示したが、保持領域溝は、チャンネル壁１２に対応する領域に設けてもよい。本発明に基づく実施の形態５におけるインクジェットヘッドでは、図１６に示すように、余剰接着剤保持領域７ｎは、チャンネル壁１２と対応するようにカバー部材２側に設けられた保持領域溝によって構成され、前記保持領域溝は、前記インク室とは連通せず別個に設けられている。
【００４１】
（作用・効果）
本実施の形態においても、実施の形態４と同様、吐出に寄与するアクティブ領域のチャンネル壁１２に加工を施さずに済むため、吐出特性ばらつきは圧電基板１側に余剰接着剤保持領域を形成する場合よりも小さくすることができる。
【００４２】
なお、前記チャンネル壁の上面と前記カバー部材との間に間隙を設けた区間である狭隙部が、前記アクティブ領域に隣接して設けられており、前記余剰接着剤保持領域は、前記チャンネル壁と対応するように前記カバー部材側に設けられた保持領域溝によって構成され、前記保持領域溝は、前記狭隙部の内部にまで連続的に設けられていることが好ましい。このようになっていれば、余剰接着剤をアクティブ領域内で保持しきれなかった場合においても、余剰接着剤を狭隙部にまで延長された保持領域溝で収容することができるので、アクティブ領域の長さが余剰接着剤の流入によりインクチャンネルごとにばらつくことを防止できる。その結果、電圧一定駆動時の吐出速度ばらつきや吐出速度一定駆動時の吐出電圧ばらつきを抑えることができる。
【００４３】
なお、前記アクティブ領域の長さをＡ、前記チャンネル壁の幅をＷ、前記インクチャンネルの数をｎ、前記ベース基板と前記カバー部材との間の接着のために塗布される接着剤の厚みをｔとしたときに、前記余剰接着剤保持領域の容積は、Ａ×Ｗ×ｎ×ｔ以上であることが好ましい。余剰接着剤保持領域がこれ以上の容積を有する場合、余剰接着剤保持領域で十分な量の余剰接着剤を収容することが可能となる。その結果、インク室の吐出に直接寄与するアクティブ領域の長さが接着剤の流入によりインクチャンネルごとにばらつくことがなく、電圧一定駆動時の吐出速度ばらつきや吐出速度一定駆動時の吐出電圧ばらつきを抑えることができる。
【００４４】
アクティブ領域の前後方向の長さＡを１．２ｍｍ、チャンネル壁１２の幅Ｗを０．０８ｍｍ、チャンネル数ｎを６４、接着剤塗布厚さｔを０．００３ｍｍとした場合、接着剤の総塗布量は約０．００９ｍｍ3となる。これに対して、余剰接着剤保持領域としては、溝幅Ｌと溝深さＨが加工パラメータとなり、Ｌ×Ｈ＝０．１２×１０-3ｍｍ2を満足すればよい。ダイシングブレードの実使用に耐える最小厚みは約０．０４ｍｍであることから考えると溝深さは約３μｍである。ダイシングブレードの半径は２６ｍｍで、ダイシング時の加工深さのばらつきと溝加工がチョッパー加工で行なわれることを考慮し、溝深さは約１０μｍとすることが望ましい。
【００４５】
なお、保持領域溝はダイシングマシンを用いたチョッパ加工によって形成されていることが好ましい。この場合、必要箇所のみに溝加工を施すことが可能だからである。必要以外の部位に溝が開口してしまうとインク漏れを生じることとなってしまうが、チョッパ加工では必要箇所のみに加工を施すことが容易となるので、このような事態を防止することができる。また、このようにチョッパ加工を利用する場合、特殊な加工装置は必要なく現有設備で対応することができる。また、保持領域溝の加工は機械加工で行なわれるので、余剰接着剤保持領域の形成される位置は、インク室に対して高精度に位置決め可能であり、加工幅、加工深さについても高精度にコントロールすることが可能である。
【００４６】
なお、各実施の形態で示したインクジェットヘッドは前端においてインク室がそのままの断面で開口しているように図示されているが、実際には前側にはノズル孔を有するノズル板（図示せず）が貼り付けられていてもよい。その場合、インク室４内で圧力が高められたインクはノズル孔から外部に吐出される構造となる。
【００４７】
なお、各実施の形態で示したインクジェットヘッドにおいては、通常、チャンネル壁の側面にはチャンネル壁を構成する圧電材料に電圧を印加するための電極としての金属膜が設けられている。この電極は、たとえば、チャンネル壁の両側面の上半分を覆うように設けられており、後端の電極引出し部６にまで電気的に接続されている。
【００４８】
なお、今回開示した上記実施の形態はすべての点で例示であって制限的なものではない。本発明の範囲は上記した説明ではなくて特許請求の範囲によって示され、特許請求の範囲と均等の意味および範囲内でのすべての変更を含むものである。
【図面の簡単な説明】
【００４９】
【図１】本発明に基づく実施の形態１におけるインクジェットヘッドの部分分解斜視図である。
【図２】本発明に基づく実施の形態１におけるインクジェットヘッドの部分拡大断面図である。
【図３】本発明に基づく実施の形態１におけるインクジェットヘッドの製造工程の第１の説明図である。
【図４】本発明に基づく実施の形態１におけるインクジェットヘッドの製造工程の第２の説明図である。
【図５】本発明に基づく実施の形態２におけるインクジェットヘッドの断面図である。
【図６】本発明に基づく実施の形態２におけるインクジェットヘッドの部分分解斜視図である。
【図７】本発明に基づく実施の形態２におけるインクジェットヘッドの変形例の断面図である。
【図８】本発明に基づく実施の形態２におけるインクジェットヘッドの変形例に用いられるカバー部材の斜視図である。
【図９】本発明に基づく実施の形態３におけるインクジェットヘッドの第１の断面図である。
【図１０】本発明に基づく実施の形態３におけるインクジェットヘッドの第２の断面図である。
【図１１】本発明に基づく実施の形態３におけるインクジェットヘッドの製造工程の第１の説明図である。
【図１２】本発明に基づく実施の形態４におけるインクジェットヘッドの部分拡大断面図である。
【図１３】本発明に基づく実施の形態４におけるインクジェットヘッドに用いられるカバー部材の斜視図である。
【図１４】本発明に基づく実施の形態４におけるインクジェットヘッドの製造工程の説明図である。
【図１５】本発明に基づく実施の形態４におけるインクジェットヘッドの製造工程の変形例の説明図である。
【図１６】本発明に基づく実施の形態５におけるインクジェットヘッドの部分拡大断面図である。
【図１７】従来技術に基づくインクジェットヘッドの部分分解斜視図である。
【図１８】従来技術に基づくインクジェットヘッドの断面図である。
【符号の説明】
【００５０】
１  圧電基板、１ａ  厚基板、１ｂ  薄基板、２  カバー部材、３  共通インク室、４  インク室、４ａ  チャンネル溝、６  電極引出し部、７，７ｈ，７ｉ，７ｊ，７ｋ，７ｎ  余剰接着剤保持領域、８  狭隙部、９  ダイシングブレード、１１  余剰接着剤、１２  チャンネル壁、１３  （本来アクティブ領域となるべき）区間、１４  （見かけのアクティブ領域となる）区間、１５  保持領域溝、１００  （従来技術による）インクジェットヘッド、１０１  インクジェットヘッド。
【図１】
2007230045.tif 000003
【図２】
2007230045.tif 000004
【図３】
2007230045.tif 000005
【図４】
2007230045.tif 000006
【図５】
2007230045.tif 000007
【図６】
2007230045.tif 000008
【図７】
2007230045.tif 000009
【図８】
2007230045.tif 000010
【図９】
2007230045.tif 000011
【図１０】
2007230045.tif 000012
【図１１】
2007230045.tif 000013
【図１２】
2007230045.tif 000014
【図１３】
2007230045.tif 000015
【図１４】
2007230045.tif 000016
【図１５】
2007230045.tif 000017
【図１６】
2007230045.tif 000018
【図１７】
2007230045.tif 000019
【図１８】
2007230045.tif 000020